(57)【特許請求の範囲】
【請求項１】
上下の方向に広がる取付面に固定されるベースと、上記取付面と平行に設けられるＬＥＤ基板と、上記ＬＥＤ基板を覆う透明性を有するカバーと、を備えた本体と、
上記取付面と平行に設けられる開口を備え、上記開口から内側の空間へ上記カバーを入れ上記開口の縁を上記ベースに当てて上記本体に取り付けられるグローブと、を備えた照明装置であって、
上記グローブは、前方に凸型に形成され不透明であると共に透光性を有するフロント部と、前方に凹型に形成され透明性を有するリア部と、を備え、
上記リア部は、上記グローブの背面を構成する背面部と、上記背面部の中央に形成された上記開口と、を備え、
上記フロント部と上記リア部とが合わさって上記空間を構成し、
上記フロント部と上記リア部との境界は、直線を構成し上端を上記ＬＥＤ基板より高い位置に配置し下端を上記ＬＥＤ基板より低い位置に配置して高さを揃えて上記ＬＥＤ基板の左側と右側に配置される一対の縦ラインと、前方へ凹型な曲線を構成し、左側の上記縦ラインの端と右側の上記縦ラインの端とをつなぐように設けられる一対の横ラインと、から構成され、
上記縦ラインと上記横ラインとは、上記ＬＥＤ基板の位置から取付面側にずれて配置され、
上記横ラインは左右の端から中間部分に近づくにつれて後方へずれて、上記中間部分が最も後方に配置され、
各縦ラインは中間部分を上記開口の斜め前方に距離を置いて配置され、各横ラインの中間部分は上記開口に寄せて配置されていて、上記開口の中心から上記縦ラインの中間部分までの距離が上記開口の中心から上記横ラインの中間部分までの距離より大きく設定され、
上記背面部と上記取付面との間の空間が、上記開口から左右の方向で、外側へ離れるにしたがって広がる、照明装置。
【請求項２】
上記背面部は、上記開口の左と右とに設けられる第１領域と、上記縦ラインと上記横ラインとで構成されるコーナー部と上記開口との間に設けられる第２領域と、上記開口の上と下とに設けられる第３領域と、を備え、
上記第１領域は、上記第２領域及び上記第３領域と比べて、面積と上記取付面に対する角度とを大きく形成されている、請求項１に記載の照明装置。
【請求項３】
上記フロント部は、上記ＬＥＤ基板の前方に距離を置いて配置されるフロント中央部と、上記ＬＥＤ基板の左方に距離を置いて配置されるフロント左部と、上記ＬＥＤ基板の右方に距離を置いて配置されるフロント右部と、を備え、
上記開口の左に設けられる上記第１領域が上記カバーと上記フロント左部の間の空間を介して上記フロント中央部に対向し、上記開口の右に設けられる上記第１領域が上記カバーと上記フロント右部の間の空間を介して上記フロント中央部に対向している、請求項２に記載の照明装置。
【請求項４】
上記リア部は、上記背面部の縁の全体から外側へ延長した突出部を備えている、請求項１から請求項３の何れかに記載の照明装置。
【請求項５】
上記背面部の内面は粗面に形成されている、請求項１から請求項４の何れかに記載の照明装置。
【請求項６】
上記フロント部の内面と上記ＬＥＤ基板の前方の上記カバーの内面は粗面に形成され、上記背面部の粗面は上記フロント部と上記カバーの粗面に比べて粗く形成されている、請求項５に記載の照明装置。
【請求項７】
上記突出部の先端部は粗面に形成されている、請求項４に記載の照明装置。
【発明の詳細な説明】
【技術分野】
【０００１】
本発明は浴室の壁等の取付面に直に固定する照明装置において本体を覆うグローブの構造に関する。
【背景技術】
【０００２】
従来、浴室の照明装置として壁に直に取り付けるものが知られている。例えば、照明装置は壁に固定する本体と本体に着脱自在に取り付けられるグローブとを備えている。
【０００３】
本体は壁に設置するベースとベースに設けられた光源部とを備えている。光源部の電球又はＬＥＤからの光がグローブを通過して浴室内を照らす。
【０００４】
特許文献１に開示の照明装置では、グローブが、電球の前方に配置される部分を透光性を有する材質で構成され、例えば乳白色に構成されている。前面を除いて、電球の周囲から後方へ広がる残りの部分は透明性を有する材質で構成されている。透明の領域部分にはシボ処理が施されたものも知られている。
【先行技術文献】
【特許文献】
【０００５】
【特許文献１】特開平９−９７５０９号公報
【発明の概要】
【発明が解決しようとする課題】
【０００６】
特許文献１の照明装置では、使用者の目に直接、光源からの光が入らないようグローブの前側の部分を乳白色に構成しているが、浴室の場所によってグローブの側面を構成する透明部分からの光が目に入り、眩しさを感じる場合がある。
【０００７】
そこで、本発明は、明るさを確保しつつ使用者が照明装置からの光に眩しさを感じることを低減できる照明装置を提供することを目的とする。
【課題を解決するための手段】
【０００８】
本発明の照明装置は本体とグローブとを備えている。本体は、上下の方向に広がる取付面に固定されるベースと、上記取付面と平行に設けられるＬＥＤ基板と、上記ＬＥＤ基板を覆う透明性を有するカバーと、を備えている。グローブは、開口を備え、上記開口から内側の空間へ上記カバーを入れ上記開口の縁を上記ベースに当てて上記本体に取り付けられる。さらに、上記グローブは、前方に凸型に形成され不透明であると共に透光性を有するフロント部と、前方に凹型に形成され透明性を有するリア部と、を備えている。上記リア部は、上記グローブの背面を構成する背面部と、上記背面部の中央に形成された上記開口と、を備えている。上記フロント部と上記リア部とが合わさって上記空間を構成する。上記フロント部と上記リア部との境界は、一対の縦ラインと、一対の横ラインと、から構成されている。一対の縦ラインは直線を構成し上端を上記ＬＥＤ基板より高い位置に配置し下端を上記ＬＥＤ基板より低い位置に配置して高さを揃えて上記ＬＥＤ基板の左側と右側に配置される。一対の横ラインは、前方へ凹型な曲線を構成し、左側の上記縦ラインの端と右側の上記縦ラインの端とをつなぐように設けられる。上記縦ラインと上記横ラインとは、上記ＬＥＤ基板の位置から取付面側にずれて配置される。上記横ラインは左右の端から中間部分に近づくにつれて後方へずれて、上記中間部分が最も後方に配置される。さらに、各縦ラインは中間部分を上記開口の斜め前方に距離を置いてそれぞれ配置され、各横ラインの中間部分は上記開口に寄せて配置されていて、上記開口の中心から上記縦ラインの中間部分までの距離が上記開口の中心から上記横ラインの中間部分までの距離より大きく設定されている。上記背面部と上記取付面との間の空間が、上記開口から左右の方向で、外側へ離れるにしたがって広がる。
【０００９】
上記背面部は、上記開口の左と右とに設けられる第１領域と、上記縦ラインと上記横ラインとで構成されるコーナー部と上記開口との間に設けられる第２領域と、上記開口の上と下とに設けられる第３領域と、を備えている。上記第１領域は、上記第２領域及び上記第３領域と比べて、面積と上記取付面に対する角度とを大きく形成されている。
【００１０】
上記フロント部は、上記ＬＥＤ基板の前方に距離を置いて配置されるフロント中央部と、上記ＬＥＤ基板の左方に距離を置いて配置されるフロント左部と、上記ＬＥＤ基板の右方に距離を置いて配置されるフロント右部と、を備えている。上記開口の左に設けられる上記第１領域が上記カバーと上記フロント左部の間の空間を介して上記フロント中央部に対向し、上記開口の右に設けられる上記第１領域が上記カバーと上記フロント右部の間の空間を介して上記フロント中央部に対向している。
【発明の効果】
【００１１】
本発明によれば、フロント部を透光性の材料で乳白色等の不透明に構成して、ＬＥＤ基板の前方から横方向までを覆っているので、照明装置の前方から光源としてのＬＥＤを直接見ることができない。さらに、グローブの背面を構成するリア部がＬＥＤ基板の位置から壁側へずれて配置されているので、フロント部と同様に、リア部を通して光源を見ることはできない。よって、使用者が光源を直視して眩しさを感じることを防止できる。
【００１２】
さらに、透明性を有するリア部から照明装置の左右の方向へ配光することができるので、グローブを例えば乳白色だけで構成した照明装置に比べて、リア部からも室内を照らすので、使用者が眩しさを感じることなく浴室を明るくすることができる。
【図面の簡単な説明】
【００１３】
【図１】（Ａ）は本発明の実施形態の照明装置の斜視図、（Ｂ）は本発明の実施形態の照明装置の左側面図、（Ｃ）は本発明の実施形態の照明装置の平面図である。
【図２】図１の照明装置の分解図である。
【図３】図１（Ｂ）のＡ−Ａ線に沿った照明装置の断面図である。
【図４】図１（Ｃ）のＢ−Ｂ線に沿った照明装置の断面図である。
【図５】（Ａ）は本発明の実施形態のグローブの正面図、（Ｂ）はグローブの背面図、（Ｃ）はグローブの左側面図、（Ｄ）はグローブの右側面図、（Ｅ）はグローブの平面図、（Ｆ）はグローブの底面図である。
【図６】（Ａ）は図５のグローブのフロント部の正面図、（Ｂ）はフロント部の左側面図、（Ｃ）はフロント部の右側面図、（Ｄ）はフロント部の平面図、（Ｅ）はフロント部の底面図である。
【図７】（Ａ）は図５のグローブのリア部の正面図、（Ｂ）はリア部の右側面図、（Ｃ）はリア部の底面図である。
【図８】（Ａ）は図７（Ａ）のＥ−Ｅ線に沿ったリア部の断面図、（Ｂ）は図７（Ａ）のＦ−Ｆ線に沿ったリア部の断面図、（Ｃ）は（Ａ）の二点鎖線の円Ｇで囲う部分の拡大図である。
【図９】背面部の透過部を説明するための図である。
【発明を実施するための形態】
【００１４】
図１（Ａ）は浴室用の照明装置１の斜視図、図１（Ｂ）は照明装置１の左側面図、図１（Ｃ）は照明装置１の平面図である。図２は照明装置１の分解図である。図３は照明装置１の横の断面図、図４は照明装置１の縦の断面図である。照明装置１は、壁の室内側の面に固定される本体１０と、本体１０に着脱自在に取り付けられるグローブ２０とを備えている。
【００１５】
図１（Ｂ）及び（Ｃ）と図２で、二点鎖線は取付面としての浴室の壁面５０を表す。また、図１（Ｂ）の矢印Ｃの方向から照明装置１を眺めた場合に対向する側を正面、向かって左側を照明装置１の左側、上側を照明装置１の上側とし、壁から室内の中心へ向かう方向を照明装置１の前方とする。図中の矢印Ｘが照明装置１の前方、矢印Ｙが照明装置１の右方、矢印Ｚが照明装置１の上方、に向いた方向である。
【００１６】
本体１０は図３及び図４に示すようにベース１１０とヒートシンク１２０とＬＥＤ基板１３０とカバー１４０とを備えている。
【００１７】
ベース１１０は合成樹脂を成型して円板状に形成されている。ベース１１０の円形の周縁がグローブ２０の開口２２６の縁に当たるように形成されている。ベース１１０は、後述するグローブ２０の爪部２２４Ｃを入れて、グローブ２０をベース１１０に取り付ける突起部１１７を備えている。なお、ベース１１０の形状は図示例に限定されるものではなく、例えば外形が矩形に形成されて内側の領域にグローブ２０の開口２２６の縁と合わさる部分を備えた構成でもよい。
【００１８】
ヒートシンク１２０はアルミニウム製でベース１１０に固定されている。ヒートシンク１２０はＬＥＤ基板１３０をベース１１０の前方に配置する取付面を備えている。ＬＥＤ基板１３０は複数のＬＥＤと配線が形成された基板とを備えている。
【００１９】
ＬＥＤ基板１３０はヒートシンク１２０に取り付けられて壁面５０と平行に配置される。カバー１４０は合成樹脂を成型し、透明に構成されている。カバー１４０はＬＥＤ基板１３０から前方へ離れた位置でＬＥＤ基板１３０と平行に形成されたカバー前部１４１を備えている。カバー１４０はカバー前部１４１の周縁をベース側へ延長させてベース１１０に取り付けられて、ＬＥＤ基板１３０とヒートシンク１２０を覆う。カバー前部１４１はベース１１０の周縁の大きさに比べて小さく形成されている。ヒートシンク１２０の内側の領域には、図示を省略する、ＬＥＤ基板１３０を制御する電源基板や端子台等が配置される。
【００２０】
本体１０は、ベース１１０の裏側の面と壁面５０との間にシート状パッキン１９３を入れて螺子１９５で壁面５０に固定される。
【００２１】
グローブ２０は、本体１０のカバー１４０の前方と上下及び左右の周囲とを覆うように構成されている。グローブ２０は、カバー１４０をグローブ２０の内側へ入れるための開口２２６を備えている。
【００２２】
図５（Ａ）はグローブ２０の正面図、（Ｂ）は背面図、（Ｃ）は左側面図、（Ｄ）は右側面図、（Ｅ）は平面図、（Ｆ）は底面図である。グローブ２０はフロント部２１０とリア部２２０とから構成されている。フロント部２１０は、透光性を有する材質で不透明に構成され、例えば乳白色に着色されている。リア部２２０は透明性を有する材質で構成され、例えば無色透明に構成されている。
【００２３】
フロント部２１０とリア部２２０とがつながる部分は境界を構成し、図５（Ａ）の正面視で、グローブの表面に線として現れる。以下、この線をフロント部２１０とリア部２２０の境界として説明をする。境界は、上下の方向に延びた縦ラインＬ１，Ｌ２と左右の方向に延びた横ラインＬ３，Ｌ４とを備えている。縦ラインＬ１，Ｌ２は直線を構成し、上端を本体１０のＬＥＤ基板１３０より高い位置に配置し下端をＬＥＤ基板１３０より低い位置に配置して、高さを揃えてＬＥＤ基板１３０の左側と右側に配置される。横ラインＬ３，Ｌ４は前方へ凹型な曲線を構成し、左側の縦ラインＬ１の端と右側の縦ラインＬ２の端とをつなぐように設けられて、一方の横ラインＬ３はＬＥＤ基板１３０より高い位置に配置され、他方の横ラインＬ４はＬＥＤ基板１３０より低い位置に配置される。正面視で、一対の縦ラインＬ１，Ｌ２と一対の横ラインＬ３，Ｌ４とが矩形状に連なるように配置される。横ラインＬ３，Ｌ４は、図５（Ｅ）及び（Ｆ）に示すように、左右の端から中間へ近づくにつれて端と同じ高さで後方へ水平にずれて中間が最も後方に配置される前方へ凹型な曲線を成す。
【００２４】
図５（Ａ）の正面視で、縦ラインＬ１，Ｌ２は本体１０の上下の方向の寸法より大きく設定され、横ラインＬ３，Ｌ４は本体１０の左右の方向の寸法より大きく設定されている。
【００２５】
図６（Ａ）はフロント部２１０の正面図、（Ｂ）は左側面図、（Ｃ）は右側面図、（Ｄ）は平面図、（Ｅ）は底面図である。フロント部２１０は、ＬＥＤ基板１３０及びカバー前部１４１の前方に配置されるフロント中央部２１１と、フロント中央部２１１の上下左右の周囲にそれぞれ配置されるフロント左部２１２と、フロント右部２１３と、フロント上部２１４及びフロント下部２１５を備えている。フロント中央部２１１と、フロント左部２１２と、フロント右部２１３と、フロント上部２１４及びフロント下部２１５との間は、曲面に形成されている。図示例では、各部の境界を一点鎖線で表している。
【００２６】
フロント中央部２１１は、正面視、一点鎖線の境界で示されるように矩形状を成し、ＬＥＤ基板１３０及びカバー１４０の前方を覆う。
【００２７】
フロント中央部２１１は、周りのフロント左部２１２とフロント右部２１３とフロント下部２１５と比較して、緩やかな曲面として構成されている。また、フロント中央部２１１は、上部側が下部側より前方にずれて配置されて全体的に傾斜して、前方の下方へ光を配光するように構成されている。
【００２８】
フロント左部２１２とフロント右部２１３とは対称に形成されていて、フロント中央部２１１から左右にそれぞれ延長し、さらに互いの間隔が広がりながら後方へ延びている。
【００２９】
フロント左部２１２は照明装置１から見て右前方の領域へ配光するようフロント中央部２１１に対して傾斜した面に形成されている。フロント左部２１２は壁に対して垂直になる面を備えていない。壁に垂直な面とはグローブ２０の左右の方向に法線の方向が一致する面を言う。フロント右部２１３は、照明装置１から見て左前方へ配光する傾斜面に形成されている。
【００３０】
フロント部２１０の左右の端を成すフロント左部２１２とフロント右部２１３の端部は、上下方向に真っ直ぐに延びた縁を形成する。以下、それぞれフロント左縁２１２Ａ、フロント右縁２１３Ａと呼ぶ。フロント左縁２１２Ａとフロント右縁２１３Ａとが、リア部２２０に接続する。
【００３１】
フロント左縁２１２Ａとフロント右縁２１３Ａとは、フロント中央部２１１の上下方向の寸法よりも長く形成されていて、上端がフロント中央部２１１よりも上方に配置され、下端がフロント中央部２１１よりも下方に配置されている。
【００３２】
フロント中央部２１１と左右のフロント左部２１２及びフロント右部２１３とが、グローブの正面と左右の側面とを構成して、ＬＥＤ基板１３０の前方と左右の外側を覆う。
【００３３】
フロント上部２１４は、天井へ配光するように、前側が後側より低くなる傾斜面に形成されている。傾斜面の上端がフロント部２１０の上縁を構成する。以下、フロント上縁２１４Ａと呼ぶ。
【００３４】
フロント上縁２１４Ａは、正面視で水平方向に真っ直ぐに延びた縁として形成されている。フロント上縁２１４Ａの両端がフロント左縁２１２Ａとフロント右縁２１３Ａとにつながっている。フロント上縁２１４Ａは平面視で後方に湾曲した縁として形成されていて、フロント上縁２１４Ａの中間を境に左右対称に形成され、左右の端から中間に近づくにつれて水平に壁側へ近づくように、後方へ膨らむ弧状に形成されている。フロント上縁２１４Ａは、フロント左縁２１２Ａとフロント右縁２１３Ａとのつながり部分を除いて、フロント左縁２１２Ａとフロント右縁２１３Ａよりも後方にずれて配置されている。フロント上縁２１４Ａはリア部２２０に接続する。
【００３５】
フロント下部２１５は、照明装置１の下方の領域へ配光するよう、湾曲した面に形成されている。フロント下部２１５の下端がフロント部２１０の下縁を構成する。以下、フロント下縁２１５Ａと呼ぶ。
【００３６】
フロント下縁２１５Ａは、フロント上縁２１４Ａと同じように、正面視で水平方向に真っ直ぐに延びた縁として形成されている。フロント下縁２１５Ａの両端がフロント左縁２１２Ａとフロント右縁２１３Ａとにつながっている。フロント下縁２１５Ａは、フロント左縁２１２Ａとフロント右縁２１３Ａとのつながり部分を除いて、フロント左縁２１２Ａとフロント右縁２１３Ａよりも後方へ突出する弧状の縁に形成されている。フロント下部２１５も、フロント上部２１４と同様に、グローブ２０の前後方向で、フロント左部２１２とフロント右部２１３との端の位置を超えて壁寄りの位置まで広がっている。フロント下縁２１５Ａは、フロント上縁２１４Ａと、上下方向に距離を置いて平行に設けられている。フロント下縁２１５Ａはリア部２２０に接続する。
【００３７】
フロント部２１０は、フロント中央部２１１と、その周りのフロント左部２１２とフロント右部２１３とフロント上部２１４及びフロント下部２１５とで、前面を前方へ膨らんだ凸面に形成され、背面を後方へ口を開いた凹面に形成され、ほぼ全体に亘って厚みを均一に構成されている。後方に開いた口が、フロント中央部２１１の周りに配置されたフロント左部２１２とフロント右部２１３とフロント上部２１４及びフロント下部２１５の各縁（フロント左縁２１２Ａとフロント右縁２１３Ａとフロント上縁２１４Ａ及びフロント下縁２１５Ａ）で形成される。開口は、図示を省略するが、フロント部２１０を背面視した場合、矩形状に形成され、上下の各縁が平行に形成され、左右の縁が平行に形成されている。このフロントの開口を塞ぐように、リア部２２０が設けられている。
【００３８】
図７（Ａ）はリア部２２０の正面図、（Ｂ）は右側面図、（Ｃ）は底面図である。図８（Ａ）は図７（Ａ）のＥ−Ｅ線に沿ったリア部２２０の断面図、（Ｂ）は図７（Ａ）のＦ−Ｆ線に沿ったリア部２２０の断面図、（Ｃ）は（Ａ）の二点鎖線の円Ｇで囲う部分の拡大図である。
【００３９】
リア部２２０は、フロント部２１０の開口を構成する縁と合わさりグローブ２０の背面を構成しフロント部２１０と共に内部に本体１０のカバー１４０を収容する領域を構成する背面部２２１と、背面部２２１の周囲に設けられた突出部２２５と、背面部２２１に形成されフロント部２１０とリア部２２０とで囲われたグローブ２０の内側へ本体１０のカバー１４０を入れる開口２２６と、を備えている。
【００４０】
背面部２２１は、図８（Ｃ）に示すように、壁側へ光を配光する透過部２２２と、透過部２２２の外側の縁を構成しフロント部２１０とつながる接続部２２３と、透過部２２２の内側の縁を構成しグローブ２０を本体１０へ取り付ける際に本体１０に当たる当接部２２４と、を備えている。
【００４１】
図９は背面部２２１の透過部２２２を説明するための図であり、背面部２２１の透過部２２２は、正面視で後述の第１領域から第３領域によって構成されており、これらの領域が、図９に破線で模式的に示す矩形の接続部２２３と円形の当接部２２４との間で広がっている。透過部２２２は、図８（Ａ）及び（Ｂ）に示すように前方へ向けて凹型に窪んだ曲面に形成されている。
【００４２】
背面部２２１の接続部２２３は、開口２２６の左方に設けられた背面左縁２２３Ａと、開口２２６の右方に設けられた背面右縁２２３Ｂと、開口２２６の上方に設けられた背面上縁２２３Ｃと、開口２２６の下方に設けられた背面下縁２２３Ｄと、から構成されている。
【００４３】
背面左縁２２３Ａはフロント部２１０のフロント左縁２１２Ａに対応して形成され、背面右縁２２３Ｂはフロント部２１０のフロント右縁２１３Ａに対応して形成され、背面上縁２２３Ｃはフロント部２１０のフロント上縁２１４Ａに対応して形成され、背面下縁２２３Ｄはフロント部２１０のフロント下縁２１５Ａに対応して形成されている。
【００４４】
背面左縁２２３Ａと背面右縁２２３Ｂとは、図７（Ａ）に示すように、上下の方向に沿って真っ直ぐに形成され、背面上縁２２３Ｃと背面下縁２２３Ｄとは左右の方向に沿って形成されている。さらに背面上縁２２３Ｃは、図８（Ｂ）に示すように、左右の端から中間へ近づくにつれて後方へ水平にずれて中間が最も後方に位置する凹型なラインに形成されている。背面下縁２２３Ｄは、背面上縁２２３Ｃの下方で背面上縁２２３Ｃと平行に配置され、凹型なラインに形成されている。背面左縁２２３Ａと背面右縁２２３Ｂと背面上縁２２３Ｃと背面下縁２２３Ｄとが連なり、背面部２２１を正面視した場合、背面部２２１の輪郭を矩形に構成する。
【００４５】
フロント部２１０のフロント左縁２１２Ａとフロント右縁２１３Ａとフロント上縁２１４Ａ及びフロント下縁２１５Ａが、リア部２２０の背面左縁２２３Ａと背面右縁２２３Ｂと背面上縁２２３Ｃ及び背面下縁２２３Ｄに合わさって、フロント部２１０とリア部２２０との境界が構成される。フロント部２１０とリア部２２０の内側には本体１０を収容する空間が構成される。
【００４６】
フロント部２１０の縁がつながる接続部２２３は、図８（Ｃ）に示すように、透過部２２２に比べて肉厚に形成されている。接続部２２３は透過部２２２の２倍から３倍程度の厚みを有する。接続部２２３の断面形状は、本体側を向いた本体対向部３０１と、壁側を向いた壁対向部３０２と、本体と反対の外側を向いた外側対向部３０３と、照明装置１の前方を向いた前方対向部３０４と、を備えて、長方形状に形成されている。接続部２２３は、壁対向部３０２の本体寄りの端で透過部２２２につながっている。
【００４７】
溝部３１０が接続部２２３の前方対向部３０４に形成されている。フロント部２１０の縁が溝部３１０に入れられる。溝部３１０は、背面左縁２２３Ａ、背面右縁２２３Ｂ、背面上縁２２３Ｃと背面下縁２２３Ｄに沿って形成されている。フロント左縁２１２Ａとフロント右縁２１３Ａとフロント上縁２１４Ａ及びフロント下縁２１５Ａの先端部が溝部３１０に入るように、溝の幅，深さやその向きが調整されて形成されている。
【００４８】
背面部２２１の当接部２２４は、開口２２６の縁を構成すると共に、本体１０のベース１１０への取り付けのために利用される。開口２２６は円形に形成され、図７（Ａ）に示すようにリア部２２０を正面視した場合の中央に円の中心を合わせて配置されている。
【００４９】
当接部２２４は、図８（Ｃ）に示すように、透過部２２２より厚く形成されていて、ベース１１０の周縁と合わさるように構成されている。当接部２２４は、後方へ、さらに開口２２６の内側の方向へ、例えば透過部２２２の厚みの２倍から３倍程度の肉厚に形成されている。当接部２２４は、後端２２４Ａを環状の端面に形成されていて、内面２２４Ｂを円筒状に形成されている。複数の爪部２２４Ｃは、図７に示すように開口２２６の中心まわりに所定の距離を置いて、内面２２４Ｂから開口２２６の中心へ向けてそれぞれ突出している。
【００５０】
当接部２２４は、図８（Ａ）及び（Ｂ）に示すように、背面部２２１の接続部２２３より後方に配置されている。
【００５１】
接続部２２３と当接部２２４との位置関係について詳述する。接続部２２３の内、左縁２２３Ａと背面右縁２２３Ｂとは、図８（Ａ）に断面で表されるように中間部分を開口２２６から離して配置されている。背面上縁２２３Ｃと背面下縁２２３Ｄとは、図８（Ｂ）に断面で表されるように中間部分を開口２２６に寄せて配置されている。
【００５２】
図８（Ａ）では左右の方向に沿った直線距離で開口２２６の中心から左縁２２３Ａ又は背面右縁２２３Ｂの中間部分までの距離をＤ１とし、図８（Ｂ）では上下の方向に沿った直線距離で開口２２６の中心から背面上縁２２３Ｃ又は背面下縁２２３Ｄの中間部分までの距離をＤ２とすると、距離Ｄ１が距離Ｄ２に比べて大きく設定されている。
【００５３】
さらに、図８（Ａ）では前後方向に沿った直線距離で開口２２６の中心から左縁２２３Ａ又は背面右縁２２３Ｂの中間部分までの距離をＤ３とし、図８（Ｂ）では前後方向に沿った直線距離で開口２２６の中心から背面上縁２２３Ｃ又は背面下縁２２３Ｄの中間部分までの距離をＤ４とすると、距離Ｄ３が距離Ｄ４に比べて大きく設定されている。
【００５４】
背面部２２１の外側の接続部２２３は、内側の当接部２２４との位置や間隔が部分的に異なるように配置されていて、透過部２２２が接続部２２３と当接部２２４との間に広がっている。
【００５５】
背面部２２１の透過部２２２について詳述する。背面部２２１の透過部２２２は３種類の領域に区分される。透過部２２２は、図９に示すように、背面左縁２２３Ａ又は背面右縁２２３Ｂと開口２２６との間の第１領域と、背面左縁２２３Ａ又は背面右縁２２３Ｂと背面上縁２２３Ｃ又は背面下縁２２３Ｄとで構成されるコーナー部と開口２２６との間の第２領域と、背面上縁２２３Ｃ又は背面下縁２２３Ｄと開口２２６との間の第３領域とによって構成されている。図７（Ａ）では第１領域から第３領域の境界を一点鎖線で表している。
【００５６】
第１領域が開口２２６の左と右とに設けられている。第３領域は開口２２６の上と下に設けられている。第２領域は、第１領域の上と下でさらに第３領域の左と右とに設けられている。
【００５７】
第１領域は、第２領域と第３領域に比べて面積を大きく形成されている。なお、第３領域は第２領域に比べて面積を大きく形成されている。
【００５８】
透過部２２２は、左右の方向で開口２２６から外側へ離れるにしたがって、壁との間隔が次第に広がるように傾斜している。第１領域は、第２領域と第３領域とに比べて壁に対する角度（以下、傾斜角度と呼ぶ。）が大きくなるように形成されている。図８（Ｂ）に示す角度θは、第１領域の傾斜角度を示しており、図中の破線は透過部２２２と壁面５０とを模式的に表している。また、第１領域は、高さ方向で、中間部分が高い側と低い側に比べて傾斜角度が大きくなるよう形成されている。図８（Ａ）に断面で表される中間部分は、例えば３０度に設定されている。なお、第２領域は第３領域に比べて傾斜角度が大きく設定されている。
【００５９】
背面部２２１の透過部２２２は、フロント部２１０の内面に対向するように形成されている。第１領域の内面は、フロント部２１０のフロント中央部２１１の内面に向けた凹型の曲面に形成されている。
【００６０】
透過部２２２の外装を呈する外側の面は壁側を向いていて、透過部２２２はフロント部２１０のフロント中央部２１１とフロント左部２１２及びフロント右部２１３と同様に、壁に垂直な面を備えずに構成されている。
【００６１】
突出部２２５は、図８（Ｃ）に示すように、接続部２２３から外側へ延長して形成されている。突出部２２５は、図５に示すように、正面視でフロント部２１０で覆われずに構成されている。突出部２２５は、背面左縁２２３Ａからは左方へ、背面右縁２２３Ｂからは右方へ、背面上縁２２３Ｃからは上方へ、背面下縁２２３Ｄからは下方へ、それぞれ突出している。接続部２２３からの突出量はいずれも同じに設定されて、正面視でフロント部２１０のまわりに枠型に配置される。
【００６２】
背面上縁２２３Ｃに沿って設けられる突出部２２５は、湾曲した面を形成している。左右の方向で中間部分が左右の端より後方に配置され、前方へ向けて凹型な面を形成している。突出部２２５は、背面上縁２２３Ｃが背面左縁２２３Ａと背面右縁２２３Ｂとつながる角部よりさらに外側まで延びている。背面下縁２２３Ｄに沿って設けられる突出部２２５は、背面上縁２２３Ｃに沿って設けられた突出部２２５と同様に、前方へ向けて凹型な面を構成する。
【００６３】
背面上縁側と背面下縁側の突出部２２５は左右の端部の位置を揃えて上下に並んで設けられていて、これらをつなぐように、背面左縁２２３Ａと背面右縁２２３Ｂから延長した突出部２２５が設けられている。背面左縁側と背面右縁側の突出部２２５は、図８（Ｃ）に示すように、先端部２２５Ａは、接続部２２３とつながる根本部分より前方にずれて配置されている。
【００６４】
グローブ２０のフロント部２１０とリア部２２０とは合成樹脂を成型して構成されている。グローブ２０は、凸側の面を前方へ向けたフロント部２１０と凸側の面を後方へ向けたリア部２２０とを重ね合わせ溶着などで一体にして、構成される。
【００６５】
背面部２２１の寸法は、前後方向で、フロント部２１０の寸法より短く設定されていて、グローブ２０を本体１０に取り付けた場合にフロント部２１０とリア部２２０との境界が本体１０のＬＥＤ基板１３０よりも壁に近い位置に配置される。また、フロント部２１０とリア部２２０との境界の内、左側と右側の縦ラインＬ１，Ｌ２を通る壁に平行な面（図３で一点鎖線で示す仮想の面６０）を想定した場合、この面６０との間の角度θ′は背面部２２１の第１領域がフロント左部２１２及びフロント右部２１３に比べて小さく設定されている。
【００６６】
本体１０は、図２に示すように、ベース１１０の裏側の面を壁に当てた状態で螺子１９５で壁に固定される。グローブ２０は、当接部２２４をベース１１０の周縁に当て、爪部２２４Ｃを突起部１１７で押さえて、本体１０に取り付けられる。
【００６７】
照明装置１が壁に取り付けられた状態で、図３に示すように、リア部２２０の接続部２２３（背面左縁２２３Ａと背面右縁２２３Ｂ）が、ベース１１０及び開口２２６と前後ろに並ばないように、ＬＥＤ基板１３０の左側と右側でベース１１０及び開口２２６の斜め前方の位置に配置される。接続部２２３（背面左縁２２３Ａと背面右縁２２３Ｂ）は、ベース１１０の上下の端を越えて、上下の方向に沿ってのびている。さらに接続部２２３（背面左縁２２３Ａと背面右縁２２３Ｂ）はＬＥＤ基板１３０の位置からずらして配置されており、ＬＥＤ基板１３０に比べて壁との距離が短く設定されている。フロント部２１０とリア部２２０との境界として、縦ラインＬ１，Ｌ２が背面左縁２２３Ａと背面右縁２２３Ｂに沿って配置されている。
【００６８】
リア部２２０の接続部２２３（背面上縁２２３Ｃと背面下縁２２３Ｄ）が、ベース１１０及び開口２２６と前後ろに並ばないように、ＬＥＤ基板１３０より高い位置と低い位置に配置される。背面上縁２２３Ｃと背面下縁２２３Ｄは図３に示すように中間部分が壁側へ近づくような凹型のラインを成すように形成されていて、図４に断面で示す中間部分が開口２２６にほぼ隣接し、さらに壁に近接して配置される。フロント部２１０とリア部２２０との境界として、横ラインＬ３，Ｌ４が背面上縁２２３Ｃと背面下縁２２３Ｄに沿って配置されている。
【００６９】
開口２２６の中心から縦ラインＬ１，Ｌ２の中間部分までの距離が開口２２６の中心から横ラインＬ３，Ｌ４の中間部分までの距離より大きく設定される。
【００７０】
背面部２２１の透過部２２２が壁に対向する。透過部２２２の内、第１領域は、第２領域と第３領域に比べて、壁面５０に対する傾きを大きく形成されて、図３に示すように、背面部２２１と壁面５０との間の空間Ｓ１，Ｓ２が開口２２６から左右の方向で、外側へ離れるにしたがって広がる。
【００７１】
図３に示すように、フロント左部２１２とフロント右部２１３とがカバー１４０の斜め前方に距離を置いて配置されていて、背面部２２１の第１領域は、フロント左部２１２及びフロント右部２１３とカバー１４０との間の空間Ｓ３，Ｓ４を介して、内面を本体１０のＬＥＤ基板１３０の前方に配置されたフロント中央部２１１に対向する。
【００７２】
上記のように、壁に取り付けた照明装置１からの光は、本体１０のカバー１４０を通り、グローブ２０に達する。光がグローブ２０で拡散されて、照明装置１は外部を照らす。照明装置１は、グローブ２０のフロント部２１０を通して前方を照らすことに加えて、グローブ２０のフロント部２１０で反射された光をグローブ２０のリア部２２０を通して壁側を照らす。リア部２２０の内、広く形成された第１領域が壁に対向しつつ、左右の外側で壁面５０との間隔が次第に大きくなるので、照明装置１の横方向（左側及び右側）へ照射される。
【００７３】
照明装置１によれば、前方へ向かって湾曲させたフロント部２１０を乳白色で側面まで構成して、ＬＥＤ基板１３０の前方から横方向までを覆っている。さらに、グローブ２０の背面を構成するリア部２２０を透明にすると共に、ＬＥＤ１３２の位置から壁側へずれて配置され、フロント部２１０とは反対側の後方へ向かって凸型に湾曲させて壁に近づけた形に構成されている。よって、入浴者が光源を直視して眩しさを感じることを防止できる。
【００７４】
さらに、乳白色のフロント部２１０に加えて透明のリア部２２０の第１領域からも照明装置１の左右の方向へ配光することができる。グローブ２０を乳白色だけで構成した照明装置１に比べて、透明のリア部２２０を通して室内を照らすので、入浴者が眩しさを感じることなく浴室を明るくすることができる。
【００７５】
入浴者が背面部２２１を直視しづらくするよう突出部２２５が背面部２２１の外側に配置されているので、入浴者が背面部２２１からの光で眩しさを感じことを低減できる。
【００７６】
（第１変形例）
本発明の実施形態の第１変形例の照明装置は、上記の照明装置１の構成に加えて、リア部２２０の背面部２２１に粗面の処理が施されている。リア部２２０の背面部２２１は、内面の全体に、例えばシボ加工が施されて、微細な凹凸が背面部２２１の内面の全域に隙間なく複数形成されている。
【００７７】
リア部２２０の背面部２２１が粗面に形成されることで、透明に構成されたリア部２２０から眩しい光の照射を低減できる。
【００７８】
（第２変形例）
本発明の実施形態の第２変形例の照明装置は、上記の第１変形例の構成に加えて、フロント部２１０と本体１０のカバー１４０とに粗面の処理が施されている。フロント部２１０は、内面の全体にシボ加工が施され、本体１０のカバー１４０はＬＥＤ基板１３０と対向するカバー前部１４１の内面の全体にシボ加工が施されている。フロント部２１０と本体１０のカバー１４０とに形成された粗面は、リア部２２０の内面の粗面に比べて粗さが異なる。リア部２２０の粗面を構成する凹凸の形状がフロント部２１０と本体１０のカバー１４０とに比べて大きな形状を有して、リア部２２０の粗面が粗く形成されている。
【００７９】
カバー１４０の粗面によって光源からの光をフロント部２１０の内面に広く拡散させることができる。フロント部２１０の粗面によって、照明装置１の前方へ照射させる光の明るさを緩和させることができる。リア部２２０はフロント部２１０よりも粗く形成された粗面によって、フロント部２１０よりもシャープな光を壁側へ照射することができる。
【００８０】
（第３変形例）
本発明の実施形態の第３変形例の照明装置は、上記の実施形態等の構成に加えて、突出部２２５の先端部２２５Ａに粗面の処理が施されている。ＬＥＤ１３２からの光が、図８（Ｃ）に示す本体対向部３０１から接続部２２３に入り、突出部２２５の先端部２２５Ａから外部へ照射される。光は先端部２２５Ａの粗面によって、突出部２２５から出る光の眩しさを低減できる。
【００８１】
（その他）
本実施形態の照明装置は、取付面として浴室に限らず、洗面所等の屋内或いは屋外で上下の方向に広がった外壁等の取付面に取り付けて使用することができる。
【符号の説明】
【００８２】
１  照明装置
１０  本体
２０  グローブ
５０  壁面
１１０  ベース
１１７  突起部
１２０  ヒートシンク
１３０  ＬＥＤ基板
１４０  カバー
２１０  フロント部
２１１  フロント中央部
２１２  フロント左部
２１２Ａ  フロント左縁
２１３  フロント右部
２１３Ａ  フロント右縁
２１４  フロント上部
２１４Ａ  フロント上縁
２１５  フロント下部
２１５Ａ  フロント下縁
２２０  リア部
２２１  背面部
２２２  透過部
２２３  接続部
２２３Ａ  背面左縁
２２３Ｂ  背面右縁
２２３Ｃ  背面上縁
２２３Ｄ  背面下縁
２２４  当接部
２２４Ｃ  爪部
２２５  突出部
２２５Ａ  先端部
２２６  開口
３０１  本体対向部
３０２  壁対向部
３０３  外側対向部
３０４  前方対向部
３１０  溝部
Ｌ１，Ｌ２  縦ライン
Ｌ３，Ｌ４  横ライン
【要約】
【課題】明るさを確保しつつ使用者が照明装置からの光に眩しさを感じることを低減できる照明装置を提供する。
【解決手段】取付面５０に固定される本体１０と本体１０に取り付けられるグローブ２０を備え、グローブ２０は透光性を有するフロント部２１０と透明性を有するリア部２２０とを備え、フロント部２１０とリア部２２０との境界は、上下の方向に沿った直線を構成し高さを揃えてＬＥＤ基板１３０の左側と右側に配置される一対の縦ラインＬ１，Ｌ２と、前方へ凹型な曲線を構成し、左側の縦ラインＬ１の端と右側の縦ラインＬ２の端とをつなぐように設けられる一対の横ラインと、から構成され、背面部と取付面５０との間の空間Ｓ１，Ｓ２が開口２２６から左右の方向で外側へ離れるにしたがって広がる。
【選択図】図３【図１】
0005936729.tif 000002
【図２】
0005936729.tif 000003
【図３】
0005936729.tif 000004
【図４】
0005936729.tif 000005
【図５】
0005936729.tif 000006
【図６】
0005936729.tif 000007
【図７】
0005936729.tif 000008
【図８】
0005936729.tif 000009
【図９】
0005936729.tif 000010